(57)【要約】  レトロフィットランプは、蛍光照明安定器と共に使用するためのものである。レトロフィットランプは、フィラメントエミュレーション回路を備える。接続されている安定器は、検出回路が、フィラメントエミュレーション回路の両端間に潜在的に存在する加熱電圧を検出することによって、（少なくとも）インスタントスタート電子安定器であるか又は電磁安定器であるかを検出する。それに応答して、ＬＥＤ構成が、（インスタントスタート電子安定器用の）直列構成で、又は（電磁安定器用の）並列構成で接続されてもよい。このようにして、出力電力は、効率的な動作を確実にするように管理される。異なる構成において、異なるピン安全性機能もまた提供されてもよい。
2021512475.tif 000002
【特許請求の範囲】
【請求項１】
照明安定器と共に使用されるためのレトロフィットランプであって、
接続ピンの第１のペア、及び接続ピンの第２のペアと、
前記第１のペアの前記接続ピンの間、及び／又は、前記第２のペアの前記接続ピンの間の、フィラメントエミュレーション回路と、
前記フィラメントエミュレーション回路の両端間に潜在的に存在する加熱電圧に反応する、電圧検出要素を含む、検出回路と、
少なくとも２つのＬＥＤセグメントを含む、ＬＥＤ構成と、
前記加熱電圧が存在していない場合には、前記少なくとも２つのＬＥＤセグメントを直列構成で接続するように、及び、前記加熱電圧が存在している場合には、前記少なくとも２つのＬＥＤセグメントを並列構成で接続するように適合されている、再構成回路と、を備える、レトロフィットランプ。
【請求項２】
前記直列構成が、前記並列構成の導電路においてはバイパスされるように適合されている、直列静電容量を含み、前記照明安定器が、蛍光照明安定器を含む、請求項１に記載のレトロフィットランプ。
【請求項３】
前記検出回路が、接続されている前記照明安定器がランプインタフェース回路を有さない第１のタイプの安定器であるか、及び／又は、ランプインタフェース回路を有する第２のタイプの安定器であるかを検出するために、前記潜在的に存在する加熱電圧に反応するように適合されており、前記ランプインタフェース回路が、前記加熱電圧を出力するように適合されている、ランプフィラメント加熱回路を含み、
前記第１のタイプの安定器が、インスタントスタート電子安定器を含み、前記第２のタイプの安定器が、
電磁安定器、
プログラムスタート電子安定器、及び、
ラピッドスタート電子安定器のうちの、いずれか１つを含む、請求項２に記載のレトロフィットランプ。
【請求項４】
前記第１のタイプの安定器が、第１の電流を出力するように定格されており、前記第２のタイプの安定器が、前記第１の電流よりも高い第２の電流を出力するように定格されており、
前記ランプフィラメントインタフェース回路が、ランプフィラメントインピーダンスを検出するように適合されている、ランプフィラメント検出回路を更に含み、
前記ラピッドスタート電子安定器内の前記ランプフィラメント加熱回路が、５００ｍｓ以内の間、動作するように適合されており、前記プログラムスタート電子安定器内の前記ランプフィラメント加熱回路が、１ｓよりも長い間、動作するように適合されている、請求項３に記載のレトロフィットランプ。
【請求項５】
前記フィラメントエミュレーション回路が、抵抗及び静電容量のうちの少なくとも一方を含む、請求項１に記載のレトロフィットランプ。
【請求項６】
前記直列構成に対して使用されるように適合されている、第１のダイオードブリッジ整流器であって、前記少なくとも２つのＬＥＤセグメントの前記直列構成が、前記第１のダイオードブリッジ整流器の正の出力と負の出力との間にある、第１のダイオードブリッジ整流器と、
前記並列構成に対して使用されるように適合されている、第２のダイオードブリッジ整流器であって、前記並列構成が、前記第２のダイオードブリッジ整流器の正の出力と負の出力との間にある、第２のダイオードブリッジ整流器と、
を備える、請求項１乃至５のいずれか一項に記載のレトロフィットランプ。
【請求項７】
前記第２のダイオードブリッジ整流器の前記正の出力から、前記少なくとも２つのＬＥＤセグメントのうちの第１のＬＥＤセグメントのアノードへの、第１のクロスオーバーダイオードと、前記少なくとも２つのＬＥＤセグメントのうちの第２のセグメントのカソードから、前記第２のダイオードブリッジ整流器の前記負の出力への、第２のクロスオーバーダイオードと、前記第２のダイオードブリッジ整流器の前記正の出力から、前記少なくとも２つのＬＥＤセグメントのうちの前記第２のＬＥＤセグメントのアノードへの、第３のクロスオーバーダイオードと、前記少なくとも２つのＬＥＤセグメントのうちの前記第１のＬＥＤセグメントのカソードから、前記第２のダイオードブリッジ整流器の前記負の出力への、第４のクロスオーバーダイオードと、を更に備える、請求項６に記載のレトロフィットランプ。
【請求項８】
前記直列構成が、前記第１のＬＥＤセグメントの前記カソードから前記第２のＬＥＤセグメントの前記アノードへの方向を順方向とする、ダイオードを更に含む、請求項７に記載のレトロフィットランプ。
【請求項９】
前記検出回路が、前記第１のペアのピン間の、第１の検出ユニットと、前記第２のペアのピン間の、第２の検出ユニットとを含む、請求項１に記載のレトロフィットランプ。
【請求項１０】
前記第１の検出ユニット及び前記第２の検出ユニットが、それぞれ、電力端子及び制御端子を有するゲート制御スイッチを含み、前記ゲート制御スイッチが、前記ペアのピン間の電圧が閾値を超過する場合に、前記第２のダイオードブリッジ整流器を接続するように適合されている、請求項９に記載のレトロフィットランプ。
【請求項１１】
各ゲート制御スイッチが、トライアック、バイポーラトランジスタ、又はＭＯＳＦＥＴを含み、
前記検出ユニットが、それぞれの前記ペアの接続ピン間に、コンデンサ及び抵抗器を並列に有する、フィルタ回路を更に含み、
前記ゲート制御スイッチが、オプションとして、前記ゲート制御スイッチの前記制御端子から、前記ペア間の電流の一部分をシャントするための、シャント回路を更に含む、請求項１０に記載のレトロフィットランプ。
【請求項１２】
各ゲート制御スイッチが、それぞれのペアの接続ピンのうちの一方の接続ピンと、前記電力端子を介した前記第２のダイオードブリッジ整流器への入力との間にあり、前記制御端子が、対応するペアの接続ピンのうちの他方の接続ピンに接続されている、請求項１０又は１１に記載のレトロフィットランプ。
【請求項１３】
Ｔ８又はＴ１２サイズの蛍光管状ランプをレトロフィットするように適合されている、管状ＬＥＤランプを含み、前記第１の安定器が、Ｔ８サイズの蛍光管状ランプに適合されており、前記第２のタイプの安定器が、Ｔ１２サイズの蛍光管状ランプに適合されており、
前記直列構成が、一方の入力端に第１の直列コンデンサを含み、もう一方の入力端に第２の直列コンデンサを含む、請求項３に記載のレトロフィットランプ。
【請求項１４】
前記第１の直列コンデンサ及び前記第２の直列コンデンサが、それぞれ、０．５ｎＦ〜１０ｎＦの範囲の静電容量を有し、
前記並列構成の順方向電圧が、前記直列構成の順方向電圧の実質的に半分である、請求項１３に記載のレトロフィットランプ。
【請求項１５】
ＨＩＤ代替ＬＥＤランプを含み、前記照明安定器が、ＨＩＤ照明安定器を含む、請求項１に記載のレトロフィットランプ。
【発明の詳細な説明】
【技術分野】
【０００１】
本発明は、蛍光安定器への接続に関して好適な、管状ＬＥＤ（tubular LED；ＴＬＥＤ）などの、レトロフィットＬＥＤランプに関する。
【背景技術】
【０００２】
固体照明（solid state lighting；ＳＳＬ）は、多くの照明用途において急速に標準になりつつある。これは、発光ダイオード（light emitting diode；ＬＥＤ）などのＳＳＬ要素が、制御可能な光出力色、強度、ビーム広がり、及び／又は照明方向を可能にするばかりではなく、優れた寿命及びエネルギー消費を呈し得るためである。
【０００３】
管状照明デバイスは、オフィス照明用、小売環境用、廊下内、ホテル内などの、商業的照明用途において広く使用されている。従来の管状ライト取付具は、管状ライトの各端部の接続ピンに機械的及び電気的に接続するための、ソケットコネクタを各端部に有する。従来の管状ライトは、蛍光灯管の形態である。蛍光管ランプ用の電磁安定器又は電子安定器が装備されている、照明器具の巨大な設置ベースが存在する。
【０００４】
現在では、伝統的な蛍光灯管の直接的な置き換えとして使用されることが可能な、管状ＬＥＤ（tubular LED；「ＴＬＥＤ」）ランプが存在している。このようにして、既存の蛍光照明安定器を含む既存のライト取付具を変更する費用なしで、固体照明の利点が得られることが可能である。実際に、蛍光ランプ安定器に適合するＴＬＥＤが、蛍光照明をＬＥＤ照明で置き換える最も単純で最も低コストな方法である。再配線すること（安定器を取り外し、ＡＣ主電源に直接ＴＬＥＤを接続すること）、及び照明器具全体を置き換えることの双方とも、遥かにより煩雑で高価なものとなる。電磁（electromagnetic；ＥＭ）安定器及び電子高周波（high frequency；ＨＦ）安定器の双方が、蛍光照明において使用されている。ＥＭ安定器は、実質的に５０／６０Ｈｚの主電源周波数の周波数でＡＣ信号を出力し、ＨＦ安定器は、１０ＫＨｚ以上の周波数でＡＣ信号を出力する。電子高周波安定器は、フィラメント加熱／検出機能を有する、プログラムスタートタイプ及びラピッドスタートタイプと、そのような機能を有さないインスタントスタートタイプとを更に含む。
【０００５】
ＥＭ安定器及びＨＦ安定器への接続に対しては、通常、異なる管状ＬＥＤ設計が必要とされる。
【０００６】
いずれのタイプの安定器が照明器具内に設置されているかを、顧客が知らないという問題が生じ得るため、多くの異なるタイプの安定器との適合性を有するＴＬＥＤを、提供することが可能であることが望ましいであろう。
【０００７】
完全を期すために、図１は、電子（高周波）蛍光安定器に適合するＴＬＥＤの典型的なブロック図を示す。
【０００８】
安定器１０は、ハーフブリッジ並列共振コンバータを備え、電子（高周波）安定器適合ＴＬＥＤ１２を駆動する。
【０００９】
安定器１０と高周波適合ＴＬＥＤ１２とは、ＴＬＥＤの一方の端部における接続ピン１及び接続ピン２を介して、並びに、ＴＬＥＤの他方の端部における接続ピン３及び接続ピン４を介して（簡略化のために、回路図の一方の側に示されている）接続されている。
【００１０】
高周波適合ＴＬＥＤ１２は、典型的には、図１に示される構成ブロックのうちの一部又は全てを備える。これらは、フィラメントエミュレーションユニット１４、待機機能用の再構成可能静電容量回路１６、インピーダンス整合回路１８、整流器２０、ＬＥＤドライバ２２、平滑コンデンサ２３、並びにＬＥＤストリング２４である。
【００１１】
これらの構成ブロックの殆どに関しては、図１に示される実装形態は単なる例であり、当該機能の他の実装形態が可能であり、また使用されてもいる。図１に示されるＬＥＤドライバは、シャントスイッチドライバである。
【００１２】
ハーフブリッジ安定器１０の設計の詳細は、図１には示されていない。このタイプの安定器もまた、単なる例であり、プッシュプルコンバータなどの他の実装形態もまた可能であり、使用されてもいる。
【００１３】
ＴＬＥＤ１２は、安定器１０にＴＬＥＤを接続するために使用される、４つの接続ピンを備える。ピン１及びピン２は、ＴＬＥＤの一方の端部に位置しており、ピン３及びピン４は、ＴＬＥＤの他方の端部に位置している。フィラメントエミュレーションユニットは、ピン１及びピン２をピン５に接続し、ピン３及びピン４をピン６に接続する、第１の回路機構を含む。ピン安全性及びスタートアップ回路１６、整合回路１８、並びに整流器２０は、ピン５及びピン６を介してのみ安定器に接続されている。
【００１４】
電子（高周波）蛍光安定器内で使用される、種々のタイプのスタート技術が存在しており、それらは、異なる安定器出力、またそれゆえ、接続されているランプへの異なる入力を生じさせる。
【００１５】
プログラムスタート安定器及びラピッドスタート安定器は、低電圧予熱方法に依拠しているため、ライトのスイッチがオンにされると、安定器がランプのフィラメントを加熱／検出して、次いでランプをオンにする。したがって、プログラムスタート安定器及びラピッドスタート安定器は、ランプフィラメント加熱／検出回路を有する。プログラムスタート安定器とラピッドスタート安定器とに関しては、具体的な加熱回路又は検出回路が異なる場合があり、ラピッドスタートタイプに関しては５００ｍｓ未満、及びプログラムスタートタイプに関しては１ｓ超の、異なる動作持続時間を有し得る。電磁安定器もまた、電子安定器と同様の、この予熱機能を有し、また、ランプフィラメント加熱回路も備える（回路の具体的な実装形態は、プログラムスタート安定器又はラピッドスタート安定器のものとは異なり得る）。一般に、当該種々のタイプの安定器内のフィラメント加熱／検出回路は、本特許出願において、ランプフィラメントインタフェース回路と呼ばれる。
【００１６】
インスタントスタート安定器は、予熱方法を使用しない。その代わりに、インスタントスタート安定器は、最初にオンにする際、ランプの両端間に高電圧を印加する。インスタントスタート安定器は、蛍光ランプが頻繁にオン及びオフに切り替えされない場合に使用される。インスタントスタート安定器は、いずれの他のタイプのランプ安定器よりも、少ないエネルギーを消費する。
【００１７】
プログラムスタート安定器は、典型的には、占有センサ又は運動センサとペアにされている。このようにして、安定器は、ランプスタートサイクルの数を最大化しつつ、エネルギー効率を維持する。プログラムスタート安定器は、最終的にライトに電源投入するために、特定のイベントのシーケンスをトリガする。プログラムは、例えば、予熱間隔中にカソードを予熱するために、電圧を供給する前にランプの両端間に低電圧を印加することを含む。ランプの両端間電圧は、グロー電流の量を低減するために、予熱間隔中は低く保たれる。次いで、アークを確立するために、より高い電圧が印加される。
【００１８】
これらの種々のタイプの電子安定器は、適合性の問題を更に複雑なものにする。
【００１９】
図２は、ＥＭ蛍光安定器に適合するＴＬＥＤ３０の典型的なブロック図を示す。ＴＬＥＤ３０は、ＬＥＤストリングの形態であるＬＥＤ構成３４に接続している、ドライバ３２を備える。
【００２０】
ＬＥＤドライバ３２は、整流器、ＥＭＩフィルタ、及びドライバ回路（例えば、スイッチモード電源回路、例えば、バック回路）を含む。
【００２１】
ランプの接続ピン（及び、照明器具ハウジングのエンドコネクタの、対応する端子）は、一方の端部にライブ端子１を規定し、他方の端部にニュートラル端子３を規定している。ＥＭ安定器適合ＬＥＤ管は、多くの場合、図２に示されるようなシングルエンド入力用に、すなわち、一方の端部のピンによってのみドライバが給電されるように設計されている。（典型的には、ヒューズ式短絡（fused short）である）ダミースタータ３８が、２つの端部間の電流ループを閉じるために使用される。
【００２２】
この接続スキームは、ランプ自体の一方の端部から他方への導電経路が存在しないため、ピン漏れ電流に対する保護をもたらし、またそれゆえ、ピン安全性をもたらす。それゆえ、何者かが一方の端部のピンに接触する場合には、他方の端部にエネルギーが既に加えられていても、漏れ電流は流れることができない。入力電力は、管の一方の端部に印加され、他方の端部には、外部のライブＬ接続及びニュートラルＮ接続との間の回路を完成するように電流を通過させるための、ヒューズ３６が設けられている。器具内のグロースタータは、その場合、ダミースタータ３８に置き換えられている。ランプは、いずれの向きでも設置されることができる。
【００２３】
しかしながら、一般に電子安定器への接続に関してピン安全性が問題となる、ダブルエンド入力ＬＥＤ管もまた存在する。様々なピン安全性対策が提案されている。これらのピン安全性対策は通常、ＴＬＥＤの両端部が照明器具内に挿入される際にのみ閉じられる、少なくとも１つのスイッチによって、ＴＬＥＤの両端部間の電気的接続を中断する。しかしながら、電気的ピン安全性メカニズム及び機械的ピン安全性メカニズムの双方が既知である。機械的ピン安全性ソリューションでは、ＴＬＥＤの各端部において、ボタンを押すとスイッチが閉じられる。ＴＬＥＤを照明器具内に挿入する際に、ランプホルダがボタンを押すことになるか、又は、ボタンは、手動で押されることを必要とする。
【００２４】
それゆえ、種々の安定器のタイプに対するレトロフィットランプの適合性を可能にすることが必要とされており、また、ピン安全性を確実にすることも必要とされている。
【００２５】
米国特許第９４４１７９５号は、周波数又は測定電流に基づいて、安定器がＥＭ安定器又はＨＦ電子安定器のいずれであるかを検出して（段落［００１４］）、ＬＥＤの群を、ＨＦ安定器（又は、低電流）に接続されている場合には並列に、及び、ＥＭ安定器（又は、高電流）に接続されている場合には直列に接続するための回路を備える、レトロフィットＬＥＤランプを開示している。これは、ＬＥＤ構成の全順方向電圧を、存在している安定器のタイプに適合させることに基づいている。より高い電圧のＥＭ安定器に対しては、より多くのＬＥＤが直列であり、それゆえ、より高いストリング電圧を有する。いずれの安定器のタイプが存在しているかの検出は、例えば、安定器の出力における電圧又は電流の、周波数、出力インピーダンス、若しくは変化率を検出することに基づく。
【００２６】
米国特許第９１４４１２１号（及び、米国特許出願公開第２０１３／０１２７３５０号）は、直列又は並列に接続され得るＬＥＤのペアを使用する、再構成可能ＬＥＤアレイを開示している。構成は、ＬＥＤアレイの電圧定格を変更し、当該機能は、主電源電圧に整合させることにより、種々の主電源電圧に対して定電流を供給することである。米国特許出願公開第２０１７００２７０２８（Ａ１）号もまた、安定器の出力の周波数、又は安定器の電流若しくは電圧における周波数関連パラメータに従った、回路構成の切り替えを開示している。
【発明の概要】
【発明が解決しようとする課題】
【００２７】
複数のタイプの安定器用に設計されているランプに関する問題点は、それらが低劣なエネルギー性能を有する点である。特に、米国特許第９４４１７９５号では、異なる安定器からの出力（電流及び電圧）が異なっていることにより、異なる安定器のタイプは、異なる効率をもたらすことになる。
【課題を解決するための手段】
【００２８】
本発明は、請求項によって定義される。
【００２９】
本発明の文脈では、目標は、異なる安定器、特に異なる出力電流を有する安定器に対して、適合性及び統一された電力を有する、ランプを提供することである。例えば、本発明の一実施形態は、Ｔ８サイズ蛍光ランプ用の、インスタントスタート電子安定器と、Ｔ１２サイズ蛍光ランプ用の、ＥＭ安定器並びにプログラムスタート電子安定器及びラピッドスタート電子安定器とに、適合性があることを目的とする。本発明者は、Ｔ８用のインスタントスタート電子安定器の出力電流が、Ｔ１２用のＥＭ／プログラムスタート又はラピッドスタート安定器の出力電流よりも低いことを見出した。それゆえ、本発明の構想は、ランプが接続されている蛍光安定器のタイプに従って、ランプのＬＥＤを再構成することである。特に、安定器によって供給される電流に応じて、構成は、異なる安定器のタイプ間で、電力がより一貫する（同様となる）ように変更され、それにより、特に大出力電流を有する安定器に関して、効率の改善が得られる。より具体的には、大きい安定器電流を有する、ＥＭ安定器、ラピッドスタート電子安定器、及びプログラムスタート安定器の場合に、ＬＥＤは並列に構成され、小さい安定器電流を有するインスタントスタート安定器の場合に、ＬＥＤは直列に構成され、それにより、ランプの総電力（等価的には、電圧に電流を乗じたもの）が一貫し、すなわち、より同様となる。
【００３０】
米国特許第９４４１７９５号は、反対の手法を開示しており、測定電流が、ＥＭ安定器を示す大きいものである場合に、ＬＥＤは直列に接続され、そうではない場合の、ＨＦ安定器を示す小さい測定電流に対して、ＬＥＤは並列に接続される。この手法の技術的な問題点は、ランプが、異なるタイプの安定器に関して、全く異なる出力電力を有する点である。
【００３１】
米国特許出願公開第２０１３／０１２７３５０号との主な相違点は、米国特許出願公開第２０１３／０１２７３５０号は、異なる電圧源振幅が与えられるＬＥＤを再構成することによって、定電流を供給するためのものである点である。電流は、ＬＥＤの並列構成又は直列構成によって決定される。また、この先行技術では、ＬＥＤの順方向電圧が一定ではなく、電流が一定に維持されるため、電力は一定ではない。反対に、本発明は、定格電流源を有する安定器に関して特に好適であり、再構成は、安定器の電流を変化させることができず（電流は、安定器の定格に依存する）、又は再構成は、安定器の入力電圧を整合させることができない（安定器は、電圧源ではない）。本発明の再構成は、異なる安定器電流を整合させるためのものであり、それにより、異なるタイプの安定器に対して普遍的な、同様の電力をもたらす。直列構成への電流が高い場合に、直列ＬＥＤセグメントが過度に電力を消費することを回避するために、ＬＥＤ電圧を変化させることによって、同様の電力が供給されることができる。それゆえ、本発明の再構成は、米国特許出願公開第２０１３／０１２７３５０号とは異なる。
【００３２】
本発明の一態様による実施例によれば、照明安定器と共に使用されるためのレトロフィットランプであって、
接続ピンの第１のペア、及び接続ピンの第２のペアと、
第１のペアの接続ピンの間、及び／又は、第２のペアの接続ピンの間の、フィラメントエミュレーション回路と、
フィラメントエミュレーション回路の両端間に潜在的に存在する加熱電圧に反応する、電圧検出要素を含む、検出回路と、
少なくとも２つのＬＥＤセグメントを含む、ＬＥＤ構成と、
加熱電圧が存在していない場合には、少なくとも２つのＬＥＤセグメントを直列構成で接続するように、及び、加熱電圧が存在している場合には、少なくとも２つのＬＥＤセグメントを並列構成で接続するように適合されている、再構成回路と、を備える、レトロフィットランプが提供される。
【００３３】
一実施形態では、検出回路は、接続されている照明安定器が、ランプインタフェース回路を有さない第１のタイプの安定器であるか、及び／又は、ランプインタフェース回路を有する第２のタイプの安定器であるかを検出するために、潜在的に存在する加熱電圧に反応するように適合されており、ランプインタフェース回路は、加熱電圧を出力するように適合されている、ランプフィラメント加熱回路を含む。第１のタイプの安定器は、第１の電流を出力するように定格されており、第２のタイプの安定器は、第１の電流よりも高い第２の電流を出力するように定格されている。
【００３４】
より具体的には、例えばＴ８サイズ蛍光管ランプ用の、インスタントスタート電子安定器は、例えば、Ｔ１２サイズ蛍光管ランプ用の電磁安定器、及びＴ１２サイズ蛍光管ランプ用のプログラムスタート／ラピッドスタート電子安定器の、約半分の出力電流を送達する。より高電流の電磁安定器又はプログラムスタート電子安定器若しくはラピッドスタート電子安定器に対して、並列構成を使用することによって、電流は、２つの分岐間で分割され、各分岐が、より低いストリング電圧を有する。それゆえ、総電力は低減されて、インスタントスタート電子安定器によって同じランプが駆動され、ＬＥＤセグメントがインスタントスタート電子安定器用に直列に再構成される場合の電力と一致する。異なる出力電流を有する当該安定器は、安定器がランプのフィラメントに加熱電圧を出力するか否かによって、識別されることができる。それゆえ、本発明の実施形態は、加熱電圧の存在の有無に従って、ＬＥＤセグメントを再構成することを提案する。このようにして、ＬＥＤ構成は、安定器を識別するための、周波数検出などの複雑な検出技術を使用することなく、ランプへの電流送達を整合させるように設定される。特に、この設計は、電子安定器及び電磁安定器の双方によって駆動されることが可能なランプに関して、より良好なエネルギー節約性能を与える。ここで、請求項における用語「定格されている」とは、安定器が、負荷のインピーダンスに実質的に関わりなく、この電流を出力するための電流源として動作することを意味する。
【００３５】
直列構成は、例えば、並列構成の導電路においてバイパスされるように適合されている、直列静電容量を含む。
【００３６】
それゆえ、直列構成は、並列構成の導電路内には存在しない、直列静電容量を含む。高周波数では、コンデンサは低インピーダンスを有し、低周波数では、コンデンサは高インピーダンスを有する。コンデンサは、ランプがＥＭ安定器に接続されることになる場合には、危険な低周波電流成分を遮断することによって、ピン安全性機能を実行し、コンデンサはまた、ＨＦ安定器の高周波信号に対する電流リミッタとしても機能し、それゆえ、ランプがＨＦ安定器に接続されている場合にもまた、ピン安全性機能が提供される。直列構成内にのみコンデンサを設けることによって、コンデンサは、安定器から受信される高周波信号を考慮に入れて最適化されることができる。
【００３７】
好ましくは、照明安定器は、蛍光照明安定器を含み、第１のタイプの安定器は、ランプフィラメントインタフェース回路を有さず、第２のタイプの安定器は、ランプフィラメントインタフェース回路を有する。
【００３８】
この実施形態は、蛍光ランプ用のレトロフィットランプを提供する。伝統的な蛍光ランプは、ランプフィラメントインタフェース回路の有無を問わず、種々のタイプの安定器と共に使用され、この実施形態は、双方のタイプに対する適合性を提供する。
【００３９】
第１のタイプの安定器は、例えば、インスタントスタート電子安定器を含み、第２のタイプの安定器は、電磁安定器、プログラムスタート電子安定器、及び、ラピッドスタート電子安定器のうちのいずれか１つを含む。
【００４０】
ランプフィラメントインタフェース回路を有する、ＥＭ安定器、ラピッドスタート電子安定器、及びプログラムスタート電子安定器は、並列構成が所望される高電流を送達する。そうではない場合の、ランプフィラメントインタフェース回路を有さない、インスタントスタート電子安定器は、直列構成が選択される低電流を送達する。
【００４１】
それゆえ、インスタントスタート（低電流）タイプの安定器は、直列構成をトリガし、他の（高電流）タイプの安定器は、並列構成をトリガすることが分かる。
【００４２】
好ましくは、ランプフィラメントインタフェース回路は、ランプフィラメントインピーダンスを検出するように適合されている、ランプフィラメント検出回路を更に含む。
【００４３】
オプションのフィラメント検出回路を有するプログラムスタート電子安定器に対しては、ランプは、好ましくは、フィラメント検出回路に接続されるように適合されている、フィラメントエミュレーション回路を備える。
【００４４】
好ましくは、ラピッドスタート安定器内のランプフィラメント加熱回路は、５００ｍｓ以内で動作するように適合されており、プログラムスタート安定器内のランプフィラメント加熱回路は、１ｓよりも長く動作するように適合されている。
【００４５】
ランプは、接続ピンの第１のペア、及び接続ピンの第２のペアを備えてもよく、それぞれのペアの接続ピン間に、検出回路に接続されているフィラメントエミュレーション回路を備えてもよく、フィラメントエミュレーション回路は、抵抗及び静電容量を含み、
検出回路は、ランプフィラメントインタフェース回路によって出力される、それぞれのペアの接続ピンの両端間に潜在的に存在する加熱電圧に反応することによって、第１のタイプ又は第２のタイプを検出するための、電圧検出要素を含む。
【００４６】
このことにより、安定器内のランプフィラメントインタフェース回路を検出し、それにより、第１のタイプ又は第２のタイプを検出するための方法が提供される。
【００４７】
ランプは、直列構成に対して使用されるように適合されている、第１のダイオードブリッジ整流器であって、少なくとも２つのＬＥＤセグメントの直列構成が、第１のダイオードブリッジ整流器の正の出力と負の出力との間にある、第１のダイオードブリッジ整流器と、並列構成に対して使用されるように適合されている、第２のダイオードブリッジ整流器であって、並列構成が、第２のブリッジ整流器の正の出力と負の出力との間にある、第２のダイオードブリッジ整流器と、を備える。
【００４８】
別個のダイオードブリッジ整流器を使用することにより、２つの構成に関する、異なる電流流路が可能となる。
【００４９】
例えば、第２のダイオードブリッジ整流器の正の出力から、少なくとも２つのＬＥＤセグメントのうちの第１のＬＥＤセグメントのアノードへの、第１のクロスオーバーダイオードと、少なくとも２つのＬＥＤセグメントのうちの第２のセグメントのカソードから、第２のダイオードブリッジ整流器の負の出力への、第２のクロスオーバーダイオードと、第２のダイオードブリッジ整流器の正の出力から、少なくとも２つのＬＥＤセグメントのうちの第２のＬＥＤセグメントのアノードへの、第３のクロスオーバーダイオードと、少なくとも２つのＬＥＤセグメントのうちの第１のＬＥＤセグメントのカソードから、第２のダイオードブリッジ整流器の負の出力への、第４のクロスオーバーダイオードと、が存在してもよい。
【００５０】
ダイオードがＡからＢへの位置として説明される場合、それは、ダイオードの順方向がＡからＢである（すなわち、アノードがＡにあり、カソードがＢにある）ことを示す点に留意されたい。
【００５１】
これらのクロスオーバーダイオードは、第２のダイオードブリッジ整流器とＬＥＤセグメントとの間の（反対極性の信号の双方に関する）導電路を、並列接続で提供する。直列構成は、好ましくは、第１のＬＥＤセグメントのカソードから第２のＬＥＤセグメントのアノードへと順方向にされている、ダイオードを更に含む。このダイオードは、直列接続を可能にして、第３のクロスオーバーダイオード及び第４のクロスオーバーダイオードからの導電路を阻止するために使用される。
【００５２】
検出回路は、例えば、第１のペアのピン間の、第１の検出ユニットと、第２のペアのピン間の、第２の検出ユニットとを含む。これらのユニットは、安定器から受信された信号から、安定器のタイプを検出するために使用される。
【００５３】
例えば、第１の検出ユニット及び第２の検出ユニットは、それぞれ、電力端子及び制御端子を有するゲート制御スイッチを含み、ゲート制御スイッチは、ペアのピン間の電圧が閾値を超過する場合に、第２のダイオードブリッジ整流器を接続するように適合されている。この実施形態は、検出及び再構成の双方の機能を、同じゲート制御スイッチ構成要素によって達成し、構成要素の数及びコストを節減する。
【００５４】
ゲート制御スイッチは、例えばトライアックを含み、検出ユニットは、それぞれのペアの接続ピン間に、コンデンサ及び抵抗器を並列に有する、フィルタ回路を更に含む。シリコン制御整流器又はトランジスタ回路などの、他のゲート制御スイッチが使用されてもよい。
【００５５】
トライアックは、例えば、ゲート電流に応答する。それゆえ、ピンの両端間電圧が、電流に変換されることができる。フィルタ回路は、（ノイズ電流を平滑化する）ノイズ電流用の経路を提供することによって、トライアックの誤ったトリガを回避し、その場合、ノイズ電流はトライアックのゲートには入らない。
【００５６】
ゲート制御スイッチは、オプションとして、ゲート制御スイッチの制御端子から、ペア間の電流の一部分をシャントするための、シャント回路を更に含む。このことが有用であるのは、高電流がシャントされない場合には、一部の安定器は、トライアックに損傷を与える恐れがある、より高い電流をピンに注入することになるためである。
【００５７】
各ゲート制御スイッチは、例えば、接続ピンのそれぞれのペアのうちの一方の接続ピンと、電力端子を介した第２のダイオードブリッジ整流器への入力との間にあり、制御端子は、接続ピンの対応するペアのうちの他方の接続ピンに接続されている。それゆえ、各ゲート制御スイッチは、第２のダイオードブリッジ整流器への（又は、第２のダイオードブリッジ整流器からの）電流の流れを可能にするか又は阻止し、またそれゆえ、並列構成を有効にするか又は無効にする。並列構成を無効にすることは、ピン安全性機能をもたらす。並列構成が有効にされると、回路内のダイオードは、直列構成の代わりに、並列構成を自動的に実行する。それゆえ、並列構成は、より低いインピーダンスを有し、同様にして、直列ＬＥＤの高インピーダンスを有するだけではなく余分な静電容量も有する、直列構成を事実上無効にする。
【００５８】
上述のように、ゲート制御スイッチと共に、コンデンサが、ピン安全性のために使用されてもよい。特に、ランプは、Ｔ８又はＴ１２サイズの蛍光管状ランプをレトロフィットするように適合されている、管状ＬＥＤランプであってもよく、第１の安定器のタイプは、Ｔ８サイズ蛍光管状ランプに適合されており、第２の安定器のタイプは、Ｔ１２サイズ蛍光管状ランプに適合されている。直列構成は、一方の入力端に第１の直列コンデンサ（Ｃ２）を、もう一方の入力端に第２の直列コンデンサ（Ｃ３）を含む。
【００５９】
それゆえ、これらのコンデンサは、ピン安全性を提供するために、接続ピンに存在している。例えば、第１の直列コンデンサ及び第２の直列コンデンサは、それぞれ、０．５ｎＦ〜１０ｎＦの範囲の静電容量を有する。
【００６０】
好ましくは、並列構成の順方向電圧は、直列構成の順方向電圧の実質的に半分である。このことは、異なるタイプの安定器に関する、レトロフィットランプの一貫した／同様の出力電力をもたらす。
【００６１】
蛍光照明安定器と共に使用される代わりに、レトロフィットランプは、例えばＨＩＤ代替ＬＥＤランプであり、照明安定器は、ＨＩＤ照明安定器を含む。
【００６２】
本発明のこれらの態様及び他の態様は、以降で説明される実施形態から明らかとなり、当該の実施形態を参照して解明されるであろう。
【図面の簡単な説明】
【００６３】
本発明のより良好な理解のために、及び、どのようにして本発明が遂行され得るかをより明確に示すために、次に、例としてのみ、添付図面が参照される。
【図１】電子安定器用の既知のＴＬＥＤ設計を示す。
【図２】電磁安定器用の既知のＴＬＥＤ設計を示す。
【図３】本発明によるＴＬＥＤ設計の一実施例を示す。
【図４】図３のＴＬＥＤ設計を通る、一方の導電路を示す。
【図５】図３のＴＬＥＤ設計を通る、もう一方の導電路を示す。
【図６】検出回路及びスイッチＱ１に関する代替的実施形態を示す。
【発明を実施するための形態】
【００６４】
本発明が、図を参照して説明される。
【００６５】
詳細な説明及び具体例は、装置、システム、及び方法の例示的実施形態を示すものであるが、単に例示目的に過ぎず、本発明の範囲を限定することを意図するものではない点を理解されたい。本発明の装置、システム、及び方法の、これら及び他の特徴、態様、及び利点は、以下の説明、添付の請求項、及び添付の図面から、より良好に理解されるであろう。これらの図は、概略的なものに過ぎず、縮尺どおりに描かれていないことを理解されたい。また、同じ参照番号は、これらの図の全体を通して、同じ部分又は同様の部分を示すために使用されていることも理解されたい。
【００６６】
本発明は、蛍光照明安定器と共に使用されるための、レトロフィットランプを提供する。検出回路が、（少なくとも）接続されている安定器が、低出力電流を有する安定器であるか、又は高出力電流を有する安定器であるかを、検出する。それに応答して、ＬＥＤ構成が、低出力電流安定器用の直列構成で、又は、高出力電流安定器用の並列構成で接続されてもよい。このようにして、出力電力は、特に高出力電流安定器に関して、効率的な動作を確実にするように、維持及び管理される。異なる構成において、異なるピン安全性機能もまた提供される。
【００６７】
図３は、本発明の一実施例によるランプを示す。
【００６８】
ランプは、従来の管状ランプのように、４つの入力ピンを２つのペアとして備える。第１のペアは、ピンＰｉｎ１及びＰｉｎ２を含み、第２のペアは、ピンＰｉｎ３及びＰｉｎ４を含む。それぞれが、それぞれのヒューズ（fuser）Ｆ１〜Ｆ４に接続している。
【００６９】
４つのピンは、安定器に接続し、安定器は、電子高周波安定器（ラピッドスタート、インスタントスタート、又はプログラムスタートを伴うもの）であってもよく、又は、電磁安定器であってもよい。
【００７０】
ランプは、少なくとも２つのＬＥＤセグメントを含む、ＬＥＤ構成Ｄ１〜Ｄ４、Ｄ４１〜Ｄ４４を備える。ＬＥＤ  Ｄ１〜Ｄ４は、（それぞれが２つのＬＥＤを有する、２つの並列分岐の）第１のセグメントを形成しており、ＬＥＤ  Ｄ４１〜Ｄ４４は、（この場合もまた、それぞれが２つのＬＥＤを有する、２つの並列分岐の）第２のセグメントを形成している。当然ながら、各セグメントは、任意の数のＬＥＤを含んでもよい。
【００７１】
ＬＥＤ構成を駆動するための、安定器からの駆動電圧は、第１のペア及び第２のペアの両端間に存在する。ランプは、いずれかの端部から端部への向きで、かつ、２つの可能な１８０度の回転位置のうちのいずれかで、適用されることができる点に留意されたい。インスタントスタート安定器に対しては、ランプホルダがシャントされるため、各端部の２つのピンが短絡される。プログラムスタート安定器及びラピッドスタートＥＭ安定器に対しては、４つのピン全てが接続される。
【００７２】
Ｐｉｎ１は、ブリッジダイオードＢＤ２、ＢＤ３、ＢＤ６、及びＢＤ７で形成されている第１のダイオードブリッジ整流器の、第１の入力に接続している。Ｐｉｎ３は、当該第１のダイオードブリッジ整流器の第２の入力に接続している。Ｐｉｎ１及びＰｉｎ３から、第１のダイオードブリッジ整流器の（それぞれ）第１の入力及び第２の入力への接続は、直接ではなく、その代わりに、それぞれの直列コンデンサＣ２及びＣ３を介している。
【００７３】
Ｐｉｎ１はまた、ブリッジダイオードＢＤ４、ＢＤ５、ＢＤ９、及びＢＤ１０から形成されている第２のダイオードブリッジ整流器の、第１の入力にも接続している。Ｐｉｎ３は、当該第２のダイオードブリッジ整流器の第２の入力に接続している。しかしながら、第２のダイオードブリッジ整流器への接続は、ゲート制御スイッチングデバイスＱ１、Ｑ２を介している。それゆえ、当該接続もまた直接ではなく、制御されることができる。
【００７４】
検出回路ＤＥＴ１、ＤＥＴ２は、接続されている安定器が、ＥＭ安定器、プログラムスタート安定器、又はラピッドスタート安定器を含めた、高出力電流電子安定器であるか、又は、インスタントスタート安定器を含めた低出力電流安定器であるかを、少なくとも検出するために使用される。
【００７５】
２つのＬＥＤセグメントは、安定器が、インスタントスタート電子安定器のような低出力電流安定器である場合には、直列構成で接続され、安定器が、電磁安定器のような高出力電流安定器である場合には、並列構成で接続される。第１のダイオードブリッジ整流器は、直列構成に対して使用され、第２のダイオードブリッジ整流器は、並列構成に対して使用される。直列構成は、２つの直列コンデンサを含み、それらは、並列構成の導電路には存在していない。
【００７６】
構成は、いくつかの能動構成要素と、いくつかの受動構成要素とによって制御される。能動構成要素は、この実施例ではトライアックとして示されている、２つのゲート制御スイッチングデバイスＱ１、Ｑ２を含む。それらが閉じられると、第２のダイオードブリッジ整流器へのピン接続が実施される。このことは、ＬＥＤセグメントの並列接続を確立する。以下の論考から明らかとなるように、このことは、より低いインピーダンスに起因して、直列構成を自動的に無効にする。
【００７７】
受動部品は、ダイオードＢＤ１、ＢＤ８、ＢＤ１２、ＢＤ１３を含み、これらは一体となって再構成回路を構成すると見なされてもよい。これらのダイオード、及び２つのダイオードブリッジ整流器のダイオードは、全て、グローバルダイオードブリッジ回路の一部と見なされてもよい点に留意されたい（それゆえ、それらは、ブリッジダイオードに関してはＢＤ＃と名付けられ、その一方で、ＬＥＤは、Ｄ＃と名付けられている）。ダイオードＢＤ１、ＢＤ８、ＢＤ１２、ＢＤ１３は、２つのダイオードブリッジ整流器間の交差経路を提供し、それゆえ、クロスオーバーダイオードを構成すると見なされてもよい。
【００７８】
第２のダイオードブリッジ整流器の正の出力から、第１のダイオードブリッジ整流器の正の出力への、第１のクロスオーバーダイオードＢＤ１と、第１のダイオードブリッジ整流器の負の出力から、第２のダイオードブリッジ整流器の負の出力への、第２のクロスオーバーダイオードＢＤ８と、第２のダイオードブリッジ整流器の正の出力から、少なくとも２つのＬＥＤセグメント間の第１のノードＮ１への、第３のクロスオーバーダイオードＢＤ１２と、少なくとも２つのＬＥＤセグメント間の第２のノードＮ２から、第２のダイオードブリッジ整流器の負の出力への、第４のクロスオーバーダイオードＢＤ１３とが存在している。
【００７９】
これらのクロスオーバーダイオードは、第２のダイオードブリッジ整流器からＬＥＤセグメントに至り、また引き返す導電路を、並列方式で提供する。ダイオードＢＤ１１が、少なくとも２つのＬＥＤセグメント間で直列に存在しており、第１のノードＮ１と第２のノードＮ２との間に接続されている。このことは、第２のダイオードブリッジ整流器の出力を短絡させる、ダイオードＢＤ１２とダイオードＢＤ１３との接続を阻止する。
【００８０】
検出回路は、ピンＰｉｎ１、Ｐｉｎ２の第１のペアのピン間の、第１の検出ユニットＤＥＴ１と、ピンＰｉｎ３、Ｐｉｎ４の第２のペアのピン間の、第２の検出ユニットＤＥＴ２とを含む。第１の検出ユニット及び第２の検出ユニットは、それぞれ、フィルタ回路及び対応のゲート制御スイッチＱ１、Ｑ２を含む。第１の検出ユニットＤＥＴ１は、抵抗器Ｒ２と並列なコンデンサＣ１を有し、第２の検出ユニットＤＥＴ２は、抵抗器Ｒ３と並列なコンデンサＣ４を有する。
【００８１】
この実施形態では、検出回路は、安定器のタイプを検出するために、安定器のランプフィラメントインタフェース回路の存在を検出するためのものであるが、これは、ランプフィラメントインタフェース回路の有無が、安定器が高出力電流安定器又は低出力電流安定器のいずれであるかに、強く関連しているためである。検出回路は、電圧検出機能を実行して、ＥＭ安定器／プログラムスタート／ラピッドスタート安定器のピン電圧が検出されない場合に、トライアックをオフに切り替え、そのようなピン電圧が検出される場合に、トライアックをオンに切り替える。北米におけるＥＭ安定器及びプログラムスタート／ラピッドスタート安定器に関しては、このピン電圧は、例えば３．６Ｖである。Ｃ１及びＲ２を含むフィルタ回路は、誤った検出を回避するために、ピン電圧を平滑化するためのものである。
【００８２】
トライアックは、電流駆動型構成要素である。正又は負の微小電流が、ゲートピンを通過すると、トライアックは、短絡として導通することになる。インスタントスタート安定器の場合、各端部の２つのピンが短絡され、そのため、トライアックのゲートを通る電流は存在しない。トライアックは、開いている。
【００８３】
北米におけるＥＭ安定器は、殆どがラピッドスタート安定器であり、３．６Ｖのフィラメント電圧を有する。各端部の２つのピンにおいてこのフィラメント電圧の場合、微小電流がゲートを通過して、トライアックが導通する。プログラムスタート安定器もまた、フィラメント電圧を有し、それにより、トライアックはまた導通することになる。プログラムスタート安定器のうちの一部は、トライアックに対して過度に高いゲート電流をもたらす恐れのある、より高いフィラメント電流を有する。この目的のために、追加的なＲＣ構成要素又は異なる値が選択され、フィラメントの殆どをＲＣ回路に通過させて、トライアックのゲートを通る電流を低減してもよい。図６は、この実施形態を示している。
【００８４】
それゆえ、プログラムスタート安定器、ラピッドスタート安定器、及びＥＭ安定器の共通の特徴は、ランプフィラメント加熱回路である。ＥＭ安定器は、フィラメント検出回路を有さなくてもよいが、その一方で、プログラムスタート安定器及びラピッドスタート安定器は、フィラメント検出を有してもよい。これらは、「フィラメントインタフェース回路」と称される。インスタントスタート安定器は、フィラメントインタフェース回路を有さない。
【００８５】
上述のように、最も基本的な機能は、安定器がインスタントスタート電子安定器であるか又は電磁安定器であるかを検出することである。
【００８６】
インスタントスタート電子安定器に関する出力電流と、電磁／プログラムスタート／ラピッドスタート安定器に関する出力電流との間には、有意な差異が存在する。例えば、Ｔ８インスタントスタート電子安定器に関しては、出力電流は、Ｔ１２電磁／プログラムスタート／ラピッドスタート安定器に関する電流の殆ど半分の低さである。このことは、単一のランプ設計に対して、適切なランプ電力を出力することは問題であることを意味する。安定器間の差異により、ランプ電流は、インスタントスタート電子高周波安定器に接続されている場合、約２００ｍＡになり得、低周波電磁安定器又はプログラムスタート／ラピッドスタート高周波安定器に接続されている場合、約４３０ｍＡになり得る。同じＬＥＤレイアウトに関しては、Ｔ１２電磁／プログラムスタート／ラピッドスタート安定器に関する電力は、Ｔ８インスタントスタート電子安定器の２倍となる。
【００８７】
直列構成及び並列構成が、この問題を解決する。より高電流の安定器に対して並列構成を使用することによって、電流は２つの分岐間で分割され、各分岐が、ＬＥＤセグメントに対応するストリング電圧（すなわち、直列接続のストリング電圧の半分）で動作する。それゆえ、総電力が低減される。このようにして、ＬＥＤ構成は、ランプへの電流送達を整合させるように設定される。特に、この設計は、高出力電流安定器及び低出力電流安定器の双方によって駆動されることが可能なランプに対して、より良好なエネルギー節約性能を与える。また、並列構成は、トライアックが開かれることにより、アクティブとならないため、ランプが安定器に適切に接続されていない場合には、漏れ電流を導通させることがなく、直列構成は、導電性であるが、直列コンデンサが、ＥＭ安定器からの低周波電流を遮断し、ＨＦ安定器からの高周波電流を制限することにより、当該電流は、人間の接触に関しても有害ではない。それゆえ、検出回路及び再構成回路は、ピン安全性及び出力電力調整の双方を提供する。このことは、有意な技術的利点である。
【００８８】
上述ように、検出回路ＤＥＴ１、ＤＥＴ２は、接続されている安定器が、ラピッドスタート電子安定器若しくはプログラムスタート電子安定器又はＥＭ安定器であるかを、検出することができる。この場合には、２つのＬＥＤセグメントは、並列に接続されるが、これは、並列の接続が高電流動作モードであるためである。
【００８９】
図４は、直列構成に関する導電路を示し、図５は、並列構成に関する導電路を示す。双方とも、Ｐｉｎ１がＰｉｎ３よりも高電圧であることにより、Ｐｉｎ１からＰｉｎ３に電流が流れることを想定している。しかしながら、安定器（ＥＭ又はＨＦのいずれか）のＡＣ出力電流の逆位相においては、反対の電流の流れ方向で、等価の導電路が存在する。当業者には明らかとなるように、ダイオードブリッジ整流器ダイオードの一方のサブセットは、１つの導電方向に対して使用され、残りの他方のサブセットは、反対の導電方向に対して使用される。
【００９０】
図４の直列構成に関しては、ランプがインスタントスタート安定器に接続されており、Ｐｉｎ１及びＰｉｎ２の両端間、又はＰｉｎ３及びＰｉｎ３の両端間にピン電圧が存在せず、トライアックＱ１、Ｑ２がオフにされることが想定されている。導電路は、第１のダイオードブリッジ整流器の入力側ダイオードＢＤ２を通り、第１のＬＥＤセグメントＤ１〜Ｄ４を通り、直列ダイオードＢＤ１１を通り、第２のＬＥＤセグメントＤ４１〜Ｄ４４を通り、第１のダイオードブリッジ整流器の出力側ダイオードＢＤ７を通り、Ｐｉｎ３に至る。電流経路はまた、コンデンサＣ２、Ｃ３も通っている。
【００９１】
第２のダイオードブリッジ整流器は、２つのトライアックによって絶縁されているため、電流は、クロスオーバーダイオードを通って流れない。
【００９２】
図５の並列構成に関しては、ランプがプログラムスタート／ラピッドスタート安定器又はＥＭ安定器に接続されており、そのため、Ｐｉｎ１及びＰｉｎ２の両端間、並びにＰｉｎ３及びＰｉｎ４の両端間にピン電圧が存在し、トライアックＱ１、Ｑ２がオンにされることが想定されている。
【００９３】
第１の導電路は、第１のトライアックＱ１を通り、第２のダイオードブリッジ整流器の入力側ダイオードＢＤ４を通り、クロスオーバーダイオードＢＤ１を通り、第１のＬＥＤセグメントＤ１〜Ｄ４を通り、クロスオーバーダイオードＢＤ１３を通り、第２のダイオードブリッジ整流器の出力側ダイオードＢＤ１０を通り、トライアックＱ２を通り、Ｐｉｎ３に至る。これは、第１の並列分岐である。
【００９４】
第２の導電路は、第１のトライアックＱ１を通り、第２のダイオードブリッジ整流器の入力側ダイオードＢＤ４を通り、クロスオーバーダイオードＢＤ１２を通り、第２のＬＥＤセグメントＤ４１〜Ｄ４４を通り、クロスオーバーダイオードＢＤ８を通り、第２のダイオードブリッジ整流器の出力側ダイオードＢＤ１０を通り、トライアックＱ２を通り、Ｐｉｎ３に至る。これは、第２の並列分岐である。クロスオーバーダイオードは、直列構成が抑止されるように、（他方の）ＬＥＤセグメントよりも直接的な導電路をＬＥＤセグメントに提供する。
【００９５】
検出回路は、フィラメントエミュレーション回路として機能する。それらは、プログラムスタート安定器用のフィラメントをエミュレートする、ＲＣネットワーク回路を含む。それらは、プログラムスタート（又は、ラピッドスタート）安定器に接続されると、並列モードを設定するようにトライアックをトリガする。それゆえ、検出回路は、必要とされる検出及びフィラメントエミュレーションを提供するために、示されている単純な並列構成よりも、複雑なＲＣネットワークを有してもよい。
【００９６】
上述のように、直列コンデンサＣ２、Ｃ３は、電流制限機能並びにピン安全性機能を提供する。第１の直列コンデンサ及び第２の直列コンデンサは、それぞれ、０．５ｎＦ〜１０ｎＦの範囲の静電容量を有してもよい。
【００９７】
直列構成では、コンデンサは（低周波に対して高いインピーダンスを有しているため）、身体に有害なものである低周波成分に対して電流遮断機能を提供し、かつ、電子安定器からの高周波電流を制限する。コンデンサは、低周波（電磁）安定器に対する回路内には存在しないため、当該回路の低周波動作の動作を妨げない。
【００９８】
低周波電磁安定器と共に動作している場合、トライアックは、異常な電流条件を遮断することによって、ピン安全性を実行する。ピン電圧が検出されない場合は、ランプがＥＭ安定器又はプログラムスタート安定器又はラピッドスタート安定器に適切に接続されておらず、トライアックが開いており、並列構成が非アクティブであることを意味する。残っている直列構成は、ＥＭ安定器からの低周波電流を遮断し、プログラムスタート／ラピッドスタート安定器又はインスタントスタート安定器からの高周波電流を、人間に危険なレベルから制限するための、直列コンデンサを有する。それゆえ、ランプが（誤って）接続されている安定器のタイプに関わりなく、危険な電流は存在しない。
【００９９】
上記の実施形態では、検出回路は、安定器内の、当該出力電流に直接相関するフィラメントインタフェース回路を検出するための、電圧検出回路によって実装されている。これは一実施例に過ぎない。検出回路は、安定器が低電流タイプであるか又は高電流タイプであるかを判定するための、他の方法を使用することができる。例えば、検出は、安定器の出力電流を直接感知するための、電流感知要素を有してもよい。
【０１００】
上記の実施形態は、蛍光ランプ用の照明安定器に基づくものである点に留意されたい。本発明はまた、ＨＩＤランプ用の種々の照明安定器に対して汎用性のある、ＨＩＤレトロフィットＬＥＤランプを提供するためにも適用可能である。
【０１０１】
電圧フィルタリングなどの回路最適化のための、いくつかの追加的なコンデンサ及び抵抗器が、図３に示されている点に留意されたい。
【０１０２】
図面、本開示、及び添付の請求項の検討によって、開示される実施形態に対する変形形態が、当業者により理解されることができ、また、特許請求される発明を実施する際に実行されることができる。請求項では、単語「備える（comprising）」は、他の要素又はステップを排除するものではなく、不定冠詞「１つの（a）」又は「１つの（an）」は、複数を排除するものではない。単一のプロセッサ又は他のユニットが、請求項において列挙される、いくつかの項目の機能を果たすことができる。特定の手段が、互いに異なる従属請求項内に列挙されているという単なる事実は、これらの手段の組み合わせが、有利に使用され得ないことを示すものではない。コンピュータプログラムは、他のハードウェアと共に、又は他のハードウェアの一部として供給される、光学記憶媒体又は固体媒体などの、好適な媒体上に記憶／分散されてもよいが、また、インターネット、又は他の有線若しくは無線の電気通信システムなどを介して、他の形態で分散されてもよい。請求項中のいかなる参照符号も、範囲を限定するものとして解釈されるべきではない。
【図１】
2021512475.tif 000003
【図２】
2021512475.tif 000004
【図３】
2021512475.tif 000005
【図４】
2021512475.tif 000006
【図５】
2021512475.tif 000007
【図６】
2021512475.tif 000008
【国際調査報告】
2021512475.tif 000009
2021512475.tif 000010